(57)【要約】【課題】フレキシブルプリント基板が加熱された際においても当該基板の折曲げ部の形状を維持することができ、また、製造コストが低廉な光ピックアップ装置を提供すること。【解決手段】光検出器１２はフレキシブルプリント基板２０により電気的に接続されており、フレキシブルプリント基板２０の光検出器１２側端部には折曲げ部１４が形成されており、折曲げ部１４は、互いに対向するように１８０度の角度で折り曲げられている第１折曲げ片１４ｂと第２折曲げ片１４ｄを有し、第１折曲げ片１４ｂの端部と第２折曲げ片１４ｄの端部とは互いに重なり合うように配置されると共に、半田付けにより固定されている。また、第１折曲げ片１４ｂと第２折曲げ片１４ｄのそれぞれのランド１４ｃ、１４ｅが半田付けにより導通されることにより、第１折曲げ片１４ｂと第２折曲げ片１４ｄのそれぞれの導電体パターンが電気的に接続される。【選択図】図２
2008146776.tif 000002
【特許請求の範囲】
【請求項１】
光学ベースと、
前記光学ベースに取付けられ光ビームを照射する光照射器と、
前記光照射器から照射された光ビームを光ディスクに導くと共に、前記光ディスクから反射される光ビームを所定方向に導く複数の光学系部材から構成されている光学系と、
前記光ディスクから反射されて前記光学系によって導かれる光ビームを受光する光検出器と、を有する光ピックアップ装置であって、
前記光検出器はフレキシブルプリント基板により電気的に接続されており、
前記フレキシブルプリント基板の前記光検出器側端部には折曲げ部が形成されており、
前記折曲げ部は、互いに対向するように折り曲げられている第１折曲げ片と第２折曲げ片を有し、
前記第１折曲げ片の端部と前記第２折曲げ片とは少なくともその一部が互いに重なり合うように配置されると共に、重なり合った部分において半田付けにより固定されていることを特徴とする光ピックアップ装置。
【請求項２】
前記第１折曲げ片と前記第２折曲げ片とはそれぞれランドを有する導電体パターンを有し、前記第１折曲げ片と前記第２折曲げ片のそれぞれの前記ランドが前記半田付けにより導通されることにより、前記第１折曲げ片と前記第２折曲げ片のそれぞれの前記導電体パターンが電気的に接続されることを特徴とする請求項１記載の光ピックアップ装置。
【発明の詳細な説明】
【技術分野】
【０００１】
本発明は、光ディスク装置に用いられる光ピックアップ装置に関する。
【背景技術】
【０００２】
周知のように、光ディスク装置に用いられる光ピックアップ装置は、光照射器から出射されたレーザ光を対物レンズによって光ディスクの信号記録面に集光し、その信号記録面からの反射光を光検出器により検出して情報を読み取り、また、光照射器から出射されたレーザ光を対物レンズによって信号記録面に集光し、情報の書き込みを行う装置である。
【０００３】
従来の光ピックアップ装置１００を図７に示す。この光ピックアップ装置１００は光ディスクに対して移動可能に支持されている金属製の光学ベース（図示せず）に搭載されているフレキシブルプリント基板１２０上に配置された複数の光学部品及び電子部品から構成されている。光ピックアップ装置１００は、回折格子が内蔵された光照射器（半導体レーザ発光器）１０１と、１／２波長板１０２と、偏光ビームスプリッタ１０３と、１／４波長板１０４と、コリメータレンズ１０５と、立上げミラー１０６と、光量検出器１０７と、センサレンズ１１０と、光検出器（フォトダイオード）１１１とを有する。なお、対物レンズ（図示せず）は、立上げミラー１０６の下方に位置する。
【０００４】
この光ピックアップ装置１００は、１枚のフレキシブルプリント基板１２０上に各部品が配設されているため、光照射器１０１、光量検出器１０７、及び光検出器１１１を直接フレキシブルプリント基板１２０上に半田付けすることができる。即ち、これら３つの部品を配線するために３枚の独立したフレキシブルプリント基板を必要としないという利点がある。
【０００５】
光検出器１１１は、フレキシブルプリント基板１２０の端部を１８０度の角度で折曲げ、断面コの字型に折返した折曲げ部１１３に半田付けされている。図５及び図６に示すように、この折曲げ部１１３は表面側基板１１３ａと背面側基板１１３ｂとを有する。そして、光検出器１１１の近傍にコンデンサ１１３ｃを配置するため、背面側基板１１３ｂにコンデンサ１１３ｃが実装されている。また、表面側基板１１３ａと背面側基板１１３ｂとは、互いの対向面が両面テープ１１３ｄにより貼着されており、この両面テープ１１３ｄにより折曲げ部１１３の折返し形状が保持されている。なお、符号１１２により示す部材は、光検出器１１１の位置調整を行うためのホルダである。
【０００６】
また、光量検出器１０７も折曲げ部１０８に半田付けされており、上記折曲げ部１１３と同様に両面テープ（図示せず）により折返し形状が保持されている。なお、この折曲げ部１０８の背面側には光量検出器１０７の感度調整用の可変抵抗器１０９が配置されている。
【発明の開示】
【発明が解決しようとする課題】
【０００７】
上記のような折曲げ部１１３は両面テープ１１３ｄによりその折返し形状が保持されているが、両面テープ１１３ｄが加熱されると貼着力が低下し、折り返されているフレキシブルプリント基板の復元力により、両面テープ１１３ｄの剥離が生じるという問題がある。
【０００８】
さらに、両面テープ１１３ｄを必要とするために、製造コストの上昇を招くという問題がある。
【０００９】
そこで、上記問題に鑑み、本発明は、フレキシブルプリント基板が加熱された際においても当該基板の折曲げ部の形状を維持することができ、また、製造コストが低廉な光ピックアップ装置を提供することを目的とする。
【課題を解決するための手段】
【００１０】
本発明に係る光ピックアップ装置は、光学ベースと、前記光学ベースに取付けられ光ビームを照射する光照射器と、前記光照射器から照射された光ビームを光ディスクに導くと共に、前記光ディスクから反射される光ビームを所定方向に導く複数の光学系部材から構成されている光学系と、前記光ディスクから反射されて前記光学系によって導かれる光ビームを受光する光検出器と、を有する光ピックアップ装置であって、前記光検出器はフレキシブルプリント基板により電気的に接続されており、前記フレキシブルプリント基板の前記光検出器側端部には折曲げ部が形成されており、前記折曲げ部は、互いに対向するように折り曲げられている第１折曲げ片と第２折曲げ片を有し、前記第１折曲げ片の端部と前記第２折曲げ片とは少なくともその一部が互いに重なり合うように配置されると共に、重なり合った部分において半田付けにより固定されていることを特徴とする。
【００１１】
さらに、本発明に係る光ピックアップ装置は、前記第１折曲げ片と前記第２折曲げ片とがそれぞれランドを有する導電体パターンを有し、前記第１折曲げ片と前記第２折曲げ片のそれぞれの前記ランドが前記半田付けにより導通されることにより、前記第１折曲げ片と前記第２折曲げ片のそれぞれの前記導電体パターンが電気的に接続されることが好ましい。
【発明の効果】
【００１２】
請求項１記載の本発明に係る光ピックアップ装置は、折曲げ部が互いに対向するように１８０度の角度で折り曲げられている第１折曲げ片と第２折曲げ片を有し、第１折曲げ片の端部と第２折曲げ片の端部とは互いに重なり合うように配置されると共に、半田付けにより固定されている。したがって、従来のように両面テープを用いることなく、折曲げ部の折返し形状を保持することができ、また、半田付けにより第１折曲げ片の端部と第２折曲げ片とを固定するために、折曲げ部が加熱された際にも、この固定状態を安定して持続することができる。また、両面テープを使用しないため、光ピックアップ装置の製造コストの低廉化を図ることができる。
【００１３】
請求項２記載の本発明に係る光ピックアップ装置は、第１折曲げ片と第２折曲げ片とはそれぞれランドを有する導電体パターンを有し、第１折曲げ片と第２折曲げ片のそれぞれのランドが半田付けにより導通されることにより、第１折曲げ片と第２折曲げ片のそれぞれの導電体パターンが電気的に接続されることを特徴とする。このため、第１折曲げ片と第２折曲げ片のそれぞれの導電体パターンが電気的に接続されるため、これら導電体パターン間における電位差の発生を防止することができる。
【発明を実施するための最良の形態】
【００１４】
以下、図１ないし図４を参照しつつ本発明の実施形態について詳細に説明する。本実施形態の光ピックアップ装置１は、光学ベース（図示せず）と、光学ベースに取付けられ光ビームを照射する光照射器２と、回折格子が内蔵された光照射器２から照射された光ビームを光ディスク（図示せず）に導くと共に、光ディスクから反射される光ビームを所定方向に導く複数の光学系部材から構成されている光学系である１／２波長板３、偏光ビームスプリッタ４、１／４波長板５、コリメータレンズ６、立上げミラー７、対物レンズ（図示せず）、及びセンサレンズ１１と、光ディスクから反射されて前記光学系によって導かれる光ビームを受光する光検出器１２と、を有する光ピックアップ装置であって、光検出器１２はフレキシブルプリント基板２０により電気的に接続されており、フレキシブルプリント基板２０の光検出器１２側端部には折曲げ部１４が形成されており、折曲げ部１４は、互いに対向するように１８０度の角度で折り曲げられている第１折曲げ片１４ｂと第２折曲げ片１４ｄを有し、第１折曲げ片１４ｂの端部と第２折曲げ片１４ｄの端部とは互いに重なり合うように配置されると共に、半田付けにより固定されていることを特徴とする。
【００１５】
図４に示す本実施形態の光ピックアップ装置１において、光ピックアップ装置１の光照射器２、光検出器８、及び光ピックアップ装置１の光学系を構成する各光学系部材は、図４おいて図示されていない光学ベースの表面に立設するように配設されている。即ち、図４において光学ベースはフレキシブルプリント基板２０と各光学系部材との間に配設されているが、この光学ベースを図面に表示すると各光学系部材間の関連性が不明確になるため図４において光学ベースが省略されている。
【００１６】
光学ベースはアルミニウム等の金属製の鋳造部材であり、光ピックアップ装置１を構成する複数の部材が取付けられている。
【００１７】
光ピックアップ装置の光照射器２は回折格子が内蔵された半導体レーザ発光器であり、光学ベースの表面にホルダ２ａを介して立設されており、また光学ベースの下方に延在しているフレキシブルプリント基板２０により電気的に接続されている。
【００１８】
光ピックアップ装置１の光学系は、回折格子が内蔵された光照射器２から照射された光ビームを光ディスク（図示せず）に導くと共に、当該光ディスクから反射される光ビームを所定方向に導くために設けられており、１／２波長板３、偏光ビームスプリッタ４、１／４波長板５、コリメータレンズ６、立上げミラー７、対物レンズ（図示せず）、及びセンサレンズ１１とから構成されている。これら光学系を構成する各光学系部材は、光学ベースに形成されている溝状の係合部分に接着又は固定されている。
【００１９】
光照射器２から照射された光ビームが１／２波長板３を通過した後、偏光ビームスプリッタ４により反射され、コリメータレンズ６により略平行光にされる。そして略平行光とされたレーザ光は、１／４波長板５で直線偏光から円偏光とされ、立上げミラー７の反射面で反射されることにより直角に折り曲げられ（図４においてフレキシブルプリント基板２０の裏面側方向へ折り曲げられる）、対物レンズを介して光ディスクの信号記録面へ集光（照射）される。
【００２０】
光ディスクの信号記録面からの反射光（戻り光）は、対物レンズを再び通過し、立上げミラー７の反射面で反射されることにより直角に折り曲げられ、１／４波長板５で偏光方向が往路の偏光方向に対して９０°曲げられコリメータレンズ６を通過し、偏光ビームスプリッタ４を透過し、センサレンズ１１を通して光検出器１２で検出される。
【００２１】
なお、符号８により示されるのは、光照射器２から照射された光ビームの光量検出を検出する光量検出器であり、折曲げ部９に半田付けされている。この折曲げ部９の背面側には光量検出器８の感度調整用の可変抵抗器１０が配置されている。
【００２２】
光検出器１２は、光ディスクから反射されて光学系によって導かれる光ビームを受光するフォトダイオードであり、ホルダ１３を介して位置調整可能な状態で光学ベースに固定されている。この光検出器１２は、フレキシブルプリント基板２０に形成された折曲げ部１４に半田付けされており電気的に接続されている。
【００２３】
折曲げ部１４を展開した状態を示している図２において、折曲げ部１４は略Ｔ字型の形状を有し、中央片１４ａの両側にそれぞれ連設されている第１折曲げ片１４ｂと第２折曲げ片１４ｄを有している。この中央片１４ａ、第１折曲げ片１４ｂ、および第２折曲げ片１４ｄは、いずれも導電体パターンを有している。そして、第１折曲げ片１４ｂの導電体パターン上にはランド１４ｃが形成されており、また第２折曲げ片１４ｄの導電体パターン上にはランド１４ｅが形成されている。これらランド１４ｃ、１４ｅが形成されている第１折曲げ片１４ｂの導電体パターンと第２折曲げ片１４ｄの導電体パターンは、アース用の導電体パターンである。
【００２４】
第２折曲げ片１４ｄの端部の２箇所には後述する半田１４ｆを半田付けする２つの切欠き１４ｊが形成されている。なお、中央片１４ａには光検出器１２の端子（図示せず）を半田付けするためのランドが形成されており、また、第２折曲げ片１４ｄにはコンデンサ１４ｇを実装するためのランドも形成されている。このコンデンサ１４ｇは光検出器１２の近傍に配置され、光検出器１２のノイズ防止用のコンデンサである。
【００２５】
折曲げ部１４が折曲げられた状態を示している図３（図２の裏面側が示されている。）において、第１折曲げ片１４ｂと第２折曲げ片１４ｄのそれぞれは、中央片１４ａを中心として互いに対向するように１８０度の角度で折り曲げられている。この状態において、第１折曲げ片１４ｂのランド１４ｃと第２折曲げ片１４ｄのランド１４ｅは互いに重なり合うように配置されている。そして、この重なり合った部分である第２折曲げ片１４ｄの２つの切欠き１４ｊの周囲のランド１４ｃ、１４ｅにおいて、半田１４ｆにより半田付けがなされ（図１参照）、第１折曲げ片１４ｂの端部と第２折曲げ片１４ｄの端部とが固定される。また、この半田１４ｆによって、ランド１４ｃ、１４ｅが電気的に接続されることにより、これらランド１４ｃ、１４ｅが形成されている第１折曲げ片１４ｂのアース用の導電体パターンと第２折曲げ片１４ｄのアース用の導電体パターンが電気的に接続されることにより、当該アース用の導電体パターンの電位が安定し、耐ノイズ性能が向上する。
【００２６】
以下、本実施形態の作用効果を説明する。
本実施形態の光ピックアップ装置１は、折曲げ部１４が互いに対向するように１８０度の角度で折り曲げられている第１折曲げ片１４ｂと第２折曲げ片１４ｄを有し、第１折曲げ片１４ｂの端部と第２折曲げ片１４ｄの端部とは互いに重なり合うように配置されると共に、半田付けにより固定されている。したがって、従来のように両面テープを用いることなく、折曲げ部１４の折返し形状を保持することができ、また、半田付けにより第１折曲げ片１４ｂの端部と第２折曲げ片１４ｄとを固定するために、折曲げ部１４が加熱された際にも、この固定状態を安定して持続することができる。また、両面テープを使用しないため、光ピックアップ装置１の製造コストの低廉化を図ることができる。
【００２７】
さらに、本実施形態の光ピックアップ装置１は、第１折曲げ片１４ｂと第２折曲げ片１４ｄとはそれぞれランド１４ｃ、１４ｅを有する導電体パターンを有し、第１折曲げ片１４ｂと第２折曲げ片１４ｄのそれぞれのランド１４ｃ、１４ｅが半田付けにより導通されることにより、第１折曲げ片１４ｂと第２折曲げ片１４ｄのそれぞれの導電体パターンが電気的に接続されることを特徴とする。このため、第１折曲げ片１４ｂと第２折曲げ片１４ｄのそれぞれの導電体パターンが電気的に接続されるため、これら導電体パターン間における電位差の発生を防止することができる。
【００２８】
上記実施形態において、折曲げ部１４は主基板であるフレキシブルプリント基板２０の一部に形成されているが、図８に示すように、独立したフレキシブルプリント基板１５の端部に形成することも可能である。このフレキシブルプリント基板１５の他端は、主基板であるガラスエポキシ基板（図示せず）に電気的に接続されている。
【図面の簡単な説明】
【００２９】
【図１】本発明の実施形態に係る光ピックアップ装置１の折曲げ部１４の斜視図である。
【図２】図１に示す光ピックアップ装置１の折曲げ部１４を展開した状態を示す平面図である。
【図３】図１に示す光ピックアップ装置１の折曲げ部１４を折り返した状態を示す平面図である。
【図４】図１に示す光ピックアップ装置１の光学系部材等の配置状態を示す部分斜視図である。なお、図面が不明確になるため光学ベースは図示されていない。
【図５】従来の光ピックアップ装置１００の折曲げ部１１３の側面図である。
【図６】図５に示す光ピックアップ装置１００の折曲げ部１１３の背面図である。
【図７】従来の光ピックアップ装置１００の光学系部材等の配置状態を示す部分斜視図である。なお、図面が不明確になるため光学ベースは図示されていない。
【図８】他の実施形態のフレキシブルプリント基板１５を示す平面図である。
【符号の説明】
【００３０】
１、１００  光ピックアップ装置
２、１０１  光照射器
２ａ  ホルダ
３、１０２  １／２波長板
４、１０３  偏光ビームスプリッタ
５、１０４  １／４波長板
６、１０５  コリメータレンズ
７、１０６  立上げミラー
８、１０７  光量検出器
９、１０８  折曲げ部
１０、１０９  可変抵抗器
１１、１１０  センサレンズ
１２、１１１  光検出器
１３、１１２  ホルダ
１４、１１３  折曲げ部
１４ａ  中央片
１４ｂ  第１折曲げ片
１４ｃ、１４ｅ  ランド
１４ｄ  第２折曲げ片
１４ｆ  半田
１４ｇ、１１３ｃ  コンデンサ
１４ｊ  切欠き
１５、２０、１２０  フレキシブルプリント基板
１１３ａ  表面側基板
１１３ｂ  背面側基板
１１３ｄ  両面テープ
【図１】
2008146776.tif 000003
【図２】
2008146776.tif 000004
【図３】
2008146776.tif 000005
【図４】
2008146776.tif 000006
【図５】
2008146776.tif 000007
【図６】
2008146776.tif 000008
【図７】
2008146776.tif 000009
【図８】
2008146776.tif 000010